(57)【要約】【課題】部品点数を増加させることなく、内筒部材が水平に向く姿勢で配置されるような場合でもダイナミックダンパが落下する可能性をなくすことのできる、ダイナミックダンパ付防振装置を提供する。【解決手段】防振装置１０はにおいて、ダンパ固定部材５の基端は、防振装置１０の本体２１に一体的に取り付けられ、ダンパ固定部材５の先端は、内筒部材１の軸方向外側に突出するとともに、内筒部材１の内径よりも大きな外径部分を有するよう拡径されている。【選択図】図３
2010091014.tif 000002
【特許請求の範囲】
【請求項１】
内筒部材と、その半径方向外側に配置された質量部材と、これらの間に配置されこれらを連結する弾性部材とよりなるダイナミックダンパを、前記内筒部材の半径方向内側に配置された軸方向に延びるダンパ固定部材を介して取り付けてなる防振装置において、
前記ダンパ固定部材の基端は、防振装置の本体に一体的に取り付けられ、前記ダンパ固定部材の先端は、前記内筒部材の軸方向外側に突出するとともに、内筒部材の内径よりも大きな外径部分を有するよう拡径されてなる防振装置。
【請求項２】
前記ダンパ固定部材は、前記内筒部材にの内側に圧入されてなる請求項１に記載の防振装置。
【請求項３】
前記ダンパ固定部材は、少なくともその先端において筒状に構成されてなる請求項１もしくは２に記載の防振装置。
【発明の詳細な説明】
【技術分野】
【０００１】
本発明は、内筒部材と、その半径方向外側に配置された質量部材と、これらの間に配置されこれらを連結しする弾性部材とよりなるダイナミックダンパを、ダンパ固定部材を介して取り付けた防振装置に関する。
【背景技術】
【０００２】
従来から、図１に中心軸線を通る断面で示すように、内筒部材９１と、その半径方向外側に配置された質量部材９２と、これらの間に配置されこれらを連結しする弾性部材９３とよりなるダイナミックダンパ９４を、内筒部材９１の半径方向内側に配置された棒状のダンパ固定部材９５を介して取り付けてなる防振装置９０が知られている（例えば、特許文献１参照。）。この防振装置９０において、第１本体部材９６は、ブラケット９７を介して振動源側に取り付けられ、第２本体部材９８は振動受け側に取り付けられていて、第１本体部材９６と第２本体部材９８とは例えば弾性部材９３によって連結されていて、振動源の振動に伴う第１本体部材９６の第２本体部材に対する相対変位を弾性部材９３によって吸収し、振動源の振動を振動受け側に伝達するのを抑えるよう機能する。
【０００３】
一方、ダイナミックダンパ９４は、振動源側の固有周波数による共振を抑えるため設けられる。
【０００４】
そして、このようなダイナミックダンパ９４の防振装置９０の本体への取り付け構造に関し、従来技術にあっては、図１に示すように、ダンパ固定部材９５として植え込みボルト９５Ａを用い、本体部材９６に固定された植え込みボルト９５Ａの半径方向外側に内筒を配置した後、内筒部材９１の軸方向外側にワッシャ８１を配置し、ワッシャ８１を貫通して突出した植え込みボルト９５Ａのねじ部にナット８２をねじ込み、ワッシャ８１と本体部材９６との間にの内筒部材９１を挟み込むことによって、ダイナミックダンパ９４を防振装置９０の本体に取り付けることができるよう構成されている。
【０００５】
しかし、この場合、部品点数が増えてコストアップや組立工数アップにつながること、また、ワッシャ８１とナット８２との、振動に伴う微小相対変位に起因する電食が発生する可能性があること等の理由で、ねじ止めによらないダイナミックダンパ９４の防振装置９０の本体への取り付け構造が提案されている。
【０００６】
図２は、このような防振装置８０を中心軸線を通る断面で示す断面図であり、防振装置８０は、ダンパ固定部材９５として棒状部材９５Ｂを用い、第１本体部材９６に固定された棒状部材９５Ｂをダイナミックダンパ９４の内筒部材９１に圧入することによってダイナミックダンパ９４を固定することができるよう構成されている。
【特許文献１】特開２０００−３３７４３１号公報
【発明の開示】
【発明が解決しようとする課題】
【０００７】
しかしながら、上記の圧入によってダイナミックダンパ９４を防振装置８０に固定する構造は、部品点数も少なく電食も抑えることができるものの、ダイナミックダンパ９４の防振装置８０の本体への固定を圧入に頼っているため、質量の大きい質量部材９２を半径方向外側に配置されているダイナミックダンパ９４にあっては、圧入された部分が、振動によって防振装置本体から外れる可能性もあり、この場合、従来のように、内筒部材の軸線を上下に向けた姿勢でダイナミックダンパ９４を本体の上側に配置した場合にはこれが落下することはないが、例えば、内筒部材が水平に向く姿勢で配置されるような場合のことを考慮してダイナミックダンパ９４の落下防止策の検討がなされていた。
【０００８】
本発明は、このような問題点に鑑みてなされたものであり、部品点数を増加させることなく、内筒部材が水平に向く姿勢で配置されるような場合でもダイナミックダンパが落下する可能性をなくすことのできる、ダイナミックダンパ付防振装置を提供することを目的とする。
【課題を解決するための手段】
【０００９】
＜１＞は、内筒部材と、その半径方向外側に配置された質量部材と、これらの間に配置されこれらを連結しする弾性部材とよりなるダイナミックダンパを、内筒部材の半径方向内側に配置された軸方向に延びるダンパ固定部材を介して取り付けてなる防振装置において、
前記ダンパ固定部材の基端は、防振装置の本体に一体的に取り付けられ、前記ダンパ固定部材の先端は、前記内筒部材の軸方向外側に突出するとともに、内筒部材の内径よりも大きな外径部分を有するよう拡径されてなる防振装置である。
【００１０】
＜２＞は、＜１＞において、前記ダンパ固定部材は、前記内筒部材にの内側に圧入されてなる防振装置である。
【００１１】
＜３＞は、＜１＞または＜２＞において、前記ダンパ固定部材は、少なくともその先端において筒状に構成されてなる防振装置である。
【発明の効果】
【００１２】
＜１＞によれば、前記ダンパ固定部材の基端は、防振装置の本体に一体的に取り付けられ、前記ダンパ固定部材の先端は、前記内筒部材の軸方向外側に突出するとともに、内筒部材の半径よりも大きな半径部分を有するよう拡径されているので、ダイナミックダンパがダンパ固定部材から抜け落ちようとしても、ダンパ固定部材の先端部が広げられているので、内筒部材がダンパ固定部材の拡径された先端部に干渉して抜けることができず、極めて簡易な構造で部品点数を増やすことなくダイナミックダンパの落下防止を実現することができる。
【００１３】
＜２＞によれば、前記ダンパ固定部材は、前記内筒部材にの内側に圧入されているので、簡易にダンパ固定部材を内筒部材に固定することができ、これによって内筒部材とダンパ固定部材との相対変位を抑え、これに伴う摩耗等の現象を抑えることができる。
【００１４】
＜３＞によれば、前記ダンパ固定部材は、少なくともその先端において筒状に構成されているので、先端の拡径を容易にすることができる。
【発明を実施するための最良の形態】
【００１５】
本発明の実施形態について図に基づいて説明する。図３は、本発明に係る実施形態の防振装置を、中心軸線Ｃを通る断面で示す断面図であり、防振装置１０は、その本体部１１に基端１６が一体的に取り付けられた軸方向に延びるダンパ固定部材５を介してダイナミックダンパ４が取り付けられている。ダイナミックダンパ４は、内筒部材１と、その半径方向外側に配置された質量部材２と、これらの間に配設されこれらを連結する弾性部材３とよりなり、内筒部材１の内周面に、ダンパ固定部材５を圧入することによって取り付けられている。
【００１６】
この防振装置１０は、その特徴として、ダンパ固定部材５の先端１５が、内筒部材１の軸方向外側に突出するとともに、内筒部材１の内径よりも大きな外径部分を有するよう拡径されており、このことによって、内筒部材１が、ダンパ固定部材５から抜け落ちるの防止することができる。
【００１７】
ここで、ダイナミックダンパ４のダンパ固定部材５への固定は、この固定を長期に亘って維持させることができるという点において圧入によるのが好ましいが、これに代えて単なる嵌入だけでもよく、この場合、ダンパ固定部材５の先端部の拡径がダイナミックダンパ４のダンパ固定部材５への固定を担うことになる。
【００１８】
また、図３に示したダンパ固定部材５Ａは、パイプで構成したが、これは図４に示すよう先端にだけリング部１５Ａが形成されていてもよく、このリング部１５Ａを内筒部材１の内径よりも大きな径まで拡径することによって、ダイナミックダンパ４の落下を防止することができる。
【図面の簡単な説明】
【００１９】
【図１】従来の防振装置の一例を示す断面図である。
【図２】従来の防振装置の他の例を示す断面図である。
【図３】本発明に係る防振装置を示す断面図である。
【図４】本発明に係る防振装置の変形例を示す断面図である。
【符号の説明】
【００２０】
１        内筒部材
２        質量部材
３        弾性部材
４        ダイナミックダンパ
５、５Ａ  ダンパ固定部材
１０      防振装置
１１      防振装置本体部
１５      ダンパ固定部材の先端
１６      ダンパ固定部材の基端
１５Ａ    リング部
【図１】
2010091014.tif 000003
【図２】
2010091014.tif 000004
【図３】
2010091014.tif 000005
【図４】
2010091014.tif 000006